(57)【要約】【課題】  この発明は、第１の装置から出力された第１の装置の動作状況を受信し、これを表示することを目的としている。【解決手段】  第１の装置から出力される音声による所定の通知内容を表示装置へ表示するための処理を、予め登録する音声通知登録手段と、第１の装置から出力される音声を受信する音声受信手段と、前記受信された音声を前記音声通知登録手段で予め登録された処理に関する音と比較し、前記受信された音声は前記予め登録された処理に関する音であるか否かを判断する音声判断手段と、前記受信された音声は前記予め登録された処理に関する音であると判断された場合は前記所定の通知内容に関する表示信号を作成して出力する表示信号出力手段とを備えるように構成する。【選択図】  図１
2005322989.tif 000002
【特許請求の範囲】
【請求項１】
第１の装置から出力される音声に基づいて第１の装置に関する表示を表示するための表示信号を出力する信号送信装置において、
第１の装置から出力される音声による所定の通知内容を表示装置へ表示するための処理を、予め登録する音声通知登録手段と、
第１の装置から出力される音声を受信する音声受信手段と、
前記受信された音声を前記音声通知登録手段で予め登録された処理に関する音と比較し、前記受信された音声は前記予め登録された処理に関する音であるか否かを判断する音声判断手段と、
前記受信された音声は前記予め登録された処理に関する音であると判断された場合は前記所定の通知内容に関する表示信号を作成して出力する表示信号出力手段とを備えることを特徴とする信号送信装置。
【請求項２】
第１の装置から出力される音声に基づいて第１の装置に関する表示を表示するための表示信号を作成して表示する信号送信システムにおいて、
第１の装置から出力される音声による所定の通知内容を表示装置へ表示するための処理を、予め登録する音声通知登録手段と、
第１の装置から出力される音声を受信する音声受信手段と、
前記受信された音声を前記音声通知登録手段で予め登録された処理に関する音と比較し、前記受信された音声は前記予め登録された処理に関する音であるか否かを判断する音声判断手段と、
前記受信された音声は前記予め登録された処理に関する音であると判断された場合は前記所定の通知内容に関する表示信号を作成して出力する表示信号出力手段と、
前記表示信号出力手段で出力された表示信号を受信し、前記所定の通知内容を表示するための表示手段とを備えることを特徴とする信号送信システム。
【請求項３】
前記表示信号出力手段で出力される表示信号は無線の形態で送信されることを特徴とする請求項１に記載の信号送信装置
【請求項４】
第１の装置から出力される音声に基づいて第１の装置に関する表示を表示するための表示信号を出力する信号送信方法において、
第１の装置から出力される音声による所定の通知内容を表示装置へ表示するための処理を、予め登録するステップと、
第１の装置から出力される音声を受信するステップと、
前記受信された音声を前記音声通知登録手段で予め登録された処理に関する音と比較し、前記受信された音声は前記予め登録された処理に関する音であるか否かを判断するステップと、
前記受信された音声は前記予め登録された処理に関する音であると判断された場合は前記所定の通知内容に関する表示信号を作成して出力するステップとを備えることを特徴とする信号送信方法。
【請求項５】
第１の装置から出力される音声に基づいて第１の装置に関する表示を表示するための表示信号を作成して表示する信号送信方法において、
第１の装置から出力される音声による所定の通知内容を表示装置へ表示するための処理を、予め登録するステップと、
第１の装置から出力される音声を受信するステップと、
前記受信された音声を前記音声通知登録手段で予め登録された処理に関する音と比較し、前記受信された音声は前記予め登録された処理に関する音であるか否かを判断するステップと、
前記受信された音声は前記予め登録された処理に関する音であると判断された場合は前記所定の通知内容に関する表示信号を作成して出力するステップと、
前記表示信号出力手段で出力された表示信号を受信し、前記所定の通知内容を表示するステップとを備えることを特徴とする信号送信方法。
【発明の詳細な説明】
【技術分野】
【０００１】
この発明は第１の装置（記録再生装置等）から出力された第１の装置の動作状況を受信し、これを表示するために表示信号を出力する信号送信装置に関する。
【背景技術】
【０００２】
近年、モニタが付設されたリモコンが用いられている。
【０００３】
特許文献１には、ＶＴＲの動作を制御するためのリモコンに関し、ＶＴＲに設けた映像信号送信部から送信される映像信号を受信し、この映像信号を映出するモニタ付ＶＴＲリモコンが開示されている。しかしながら、この特許文献１には第１の装置から出力された第１の装置の動作状況を受信し、これを表示するために表示信号を出力する技術は充分に開示されていない。
【特許文献１】特開平８−２５１６７１号公報
【発明の開示】
【発明が解決しようとする課題】
【０００４】
そこでこの発明は、上記事情を考慮してなされたもので、第１の装置から出力された第１の装置の動作状況を受信し、これを表示することを目的とする。
【課題を解決するための手段】
【０００５】
この発明に係る信号送信装置は、第１の装置から出力される音声による所定の通知内容を表示装置へ表示するための処理を、予め登録する音声通知登録手段と、第１の装置から出力される音声を受信する音声受信手段と、前記受信された音声を前記音声通知登録手段で予め登録された処理に関する音と比較し、前記受信された音声は前記予め登録された処理に関する音であるか否かを判断する音声判断手段と、前記受信された音声は前記予め登録された処理に関する音であると判断された場合は前記所定の通知内容に関する表示信号を作成して出力する表示信号出力手段とを備えるように構成したものである。
【０００６】
この発明に係る信号送信システムは、第１の装置から出力される音声による所定の通知内容を表示装置へ表示するための処理を、予め登録する音声通知登録手段と、第１の装置から出力される音声を受信する音声受信手段と、前記受信された音声を前記音声通知登録手段で予め登録された処理に関する音と比較し、前記受信された音声は前記予め登録された処理に関する音であるか否かを判断する音声判断手段と、前記受信された音声は前記予め登録された処理に関する音であると判断された場合は前記所定の通知内容に関する表示信号を作成して出力する表示信号出力手段と、前記表示信号出力手段で出力された表示信号を受信し、前記所定の通知内容を表示するための表示手段とを備えるように構成したものである。
【０００７】
この発明に係る信号送信方法は、第１の装置から出力される音声による所定の通知内容を表示装置へ表示するための処理を、予め登録するステップと、第１の装置から出力される音声を受信するステップと、前記受信された音声を前記音声通知登録手段で予め登録された処理に関する音と比較し、前記受信された音声は前記予め登録された処理に関する音であるか否かを判断するステップと、前記受信された音声は前記予め登録された処理に関する音であると判断された場合は前記所定の通知内容に関する表示信号を作成して出力するステップとを備えるように構成したものである。
【発明の効果】
【０００８】
上記した構成によれば、第１の装置から出力された第１の装置の動作状況を受信し、これを表示することが可能となる。またこれによって第１の装置から出力された第１の装置の動作状況をユーザへ視覚で通知することが可能となる。
【発明を実施するための最良の形態】
【０００９】
以下、図面を参照してこの発明の実施の形態を説明する。
【００１０】
図１はこの発明の実施の形態を示すもので、信号送信装置の概略を示す図である。
【００１１】
符号１０１は記録再生装置（第１の装置）、符号１０２は信号送信装置、符号１０３は映像表示装置、符号１０４は記録再生装置（第２の装置）、符号１０５はリモコン、符号１０５ａはリモコンの表示部である。
【００１２】
記録再生装置（第１の装置）１０１は例えばＤＶＤレコーダである。記録再生装置（第１の装置）１０１は、例えば記録処理が完了すると、例えばピーというような音（以下音声とも呼ぶ）を出力して記録処理完了を通知する。信号送信装置１０２は記録再生装置（第１の装置）１０１の近くに設置される。信号送信装置１０２は記録再生装置（第１の装置）１０１に対して、少なくとも音による通知の届く範囲に設置することが望ましい。
【００１３】
信号送信装置１０２には予め、記録再生装置１０１から出力される音に応じた処理内容が登録される。信号送信装置１０２は記録再生装置（第１の装置）１０１から出力された音を受信し、予め登録された処理に関する音である場合は表示信号を作成する。そして、この作成された表示信号をリモコン１０５へ送信する。このとき表示信号は無線通信で送信されることが望ましい。
【００１４】
リモコン１０５は無線通信で送信された表示信号を受信し、例えば液晶で構成されるリモコンの表示部１０５ａへ記録再生装置１０１から出力される音に応じた処理内容を表示する。これに加えて操作ガイドを表示してもよい。
【００１５】
図２はこの発明の実施の形態を示すもので、主として信号送信装置の動作を説明するフローチャートである。
【００１６】
符号１１００はここでの開始ステップである。続いて符号１１０１を付したステップへ進む。
【００１７】
符号１１０１は記録再生装置の音による通知をリモコンへ表示するための処理を、予め、信号送信装置へ登録ステップである。続いて符号１１０２を付したステップへ進む。
【００１８】
符号１１０２は信号送信装置を記録再生装置の近く（音の届く範囲）へ設置
ステップである。続いて符号１１０３を付したステップへ進む。
【００１９】
符号１１０３は記録再生装置が予め登録された処理（例えば録画終了）時に出力される（鳴る）音を出力するステップである。続いて符号１１０４を付したステップへ進む。
【００２０】
符号１１０４は信号送信装置が記録再生装置から出力された音を受信するステップである。続いて符号１１０５を付したステップへ進む。
【００２１】
符号１１０５は信号送信装置１０２で受信された音が予め登録された処理に関する音か否かを判断するステップである。信号送信装置１０２で受信された音が予め登録された処理に関する音であると判断された場合は符号１１０６を付したステップへ進む（Ｙｅｓ）。信号送信装置１０２で受信された音が予め登録された処理に関する音ではないと判断された場合は符号１１０２を付したステップへ進み、上記処理が繰り返される（Ｎｏ）。
【００２２】
符号１１０６は信号送信装置が表示信号を作成し、リモコン１０５へ作成された表示信号を送信するステップである。続いて符号１１０７を付したステップへ進む。
【００２３】
符号１１０７はリモコン１０５が表示信号を受信し、音による通知を表示部１０５ａへ表示するステップである。続いて符号１１０８を付したステップへ進む。
【００２４】
符号１１０８は終了ステップであり、ここでの処理は終了する。
【００２５】
すなわち、この発明の実施の形態においては、第１の装置（１０１）から出力される音声による所定の通知内容を表示装置（１０５）へ表示するための処理を、予め登録し（音声通知登録手段）、第１の装置（１０１）から出力される音声を受信し（音声受信手段）、受信された音声を音声通知登録手段で予め登録された処理に関する音と比較し、受信された音声は予め登録された処理に関する音であるか否かを判断し（音声判断手段）、受信された音声は前記予め登録された処理に関する音であると判断された場合は所定の通知内容に関する表示信号を作成して出力し（表示信号出力手段）、表示信号出力手段で出力された表示信号を受信し、所定の通知内容を表示する（表示手段）ように構成している。
【００２６】
図３はこの発明の、他の実施の形態を示すもので、信号送信装置の概略を説明する図である。
【００２７】
上記説明と同じ構成については同一の符号を付して説明を省略する。
【００２８】
符号２０５は映像表示装置、符号２０５ａは映像表示装置の表示部である。
【００２９】
上記と同様に  記録再生装置（第１の装置）１０１は例えばＤＶＤレコーダで構成される。記録再生装置（第１の装置）１０１は、ダビング処理が完了すると、ピー、ピーというような音（音声）を出力して記録処理完了を通知する。信号送信装置１０２は記録再生装置（第１の装置）１０１の近くに設置され、少なくとも音による通知の届く範囲に設置することが望ましい。
【００３０】
信号送信装置１０２には予め、記録再生装置１０１から出力される音に応じた処理内容が登録される。信号送信装置１０２は記録再生装置（第１の装置）１０１から出力された音を受信し、予め登録された処理に関する音である場合は表示信号を作成する。そして、この作成された表示信号を液晶等の映像表示装置２０５へ送信する。このとき表示信号は無線通信で送信されることが望ましい。
【００３１】
映像表示装置２０５は無線通信で送信された表示信号を受信し、映像表示装置２０５の表示部２０５ａへ記録再生装置１０１から出力される音に応じた処理内容を表示する。ここでは“ダビングが完了しました”というメッセージが表示される。
【００３２】
図４はこの発明の、他の実施の形態を示すもので、主として信号送信装置の動作を説明するフローチャートである。
【００３３】
符号２１００はここでの開始ステップである。続いて符号２１０１を付したステップへ進む。
【００３４】
符号２１０１は記録再生装置の音による通知をリモコンへ表示するための処理を、予め、信号送信装置へ登録ステップである。続いて符号２１０２を付したステップへ進む。
【００３５】
符号２１０２は信号送信装置を記録再生装置の近く（音の届く範囲）へ設置
ステップである。続いて符号２１０３を付したステップへ進む。
【００３６】
符号２１０３は記録再生装置が予め登録された処理（例えば録画終了）時に出力される（鳴る）音を出力するステップである。続いて符号２１０４を付したステップへ進む。
【００３７】
符号２１０４は信号送信装置が記録再生装置から出力された音を受信するステップである。続いて符号２１０５を付したステップへ進む。
【００３８】
符号２１０５は信号送信装置１０２で受信された音が予め登録された処理に関する音か否かを判断するステップである。信号送信装置１０２で受信された音が予め登録された処理に関する音であると判断された場合は符号２１０６を付したステップへ進む（Ｙｅｓ）。信号送信装置１０２で受信された音が予め登録された処理に関する音ではないと判断された場合は符号２１０２を付したステップへ進み、上記処理が繰り返される（Ｎｏ）。
【００３９】
符号２１０６は信号送信装置が表示信号を作成し、表示装置２０５へ作成された表示信号を送信するステップである。続いて符号２１０７を付したステップへ進む。
【００４０】
符号２１０７は表示装置２０５が表示信号を受信し、音による通知を表示部２０５ａへ表示するステップである。続いて符号２１０８を付したステップへ進む。
【００４１】
符号２１０８は終了ステップであり、ここでの処理は終了する。
【００４２】
図５はこの発明の実施の形態を示すもので、例えば操作ガイドを表示する例を説明する図である。
【００４３】
上記説明と同じ構成については同一の符号を付して説明を省略する。
【００４４】
１０４は記録再生装置（第２の装置）である。ここでは、映像表示装置２０５は記録再生装置（第２の装置）と通信を行う。
【００４５】
表示装置２０５は記録再生装置（第２の装置）１０４に対して、記録再生装置（第２の装置）１０４に記録されている表示データを要求する。
【００４６】
続いて、記録再生装置１０４は例えば、状態情報、編集操作情報、操作ガイド情報とキー点灯情報等を表示装置２０５へ向けて送信する。表示装置２０５は上記情報を受信し、この内容に従って表示装置の表示部２０５ａに表示を行う。また、表示装置２０５は受信した内容によりキーを点灯／消灯するように構成してもよい。また、表示部２０５ａに表示された操作説明（ここでは高速ダビングの操作説明：ＨＤＤ→ＤＶＤコピー、ＨＤＤ→ＤＶＤ移動、ＨＤＤ→ＨＤＤディスク等）にしたがって、ユーザが表示装置２０５から記録再生装置１０４に対して、操作指示を行うように構成してもよい。
【００４７】
上記のように構成することによって、第１の装置から出力された第１の装置の動作状況を受信し、これを表示することが可能となる。またこれによって第１の装置から出力された第１の装置の動作状況をユーザへ視覚で通知することが可能となる。
【００４８】
なお、この発明は上記した実施の形態そのままに限定されるものではなく、実施段階ではその趣旨を逸脱しない範囲で構成要素を種々変形して具体化することができる。
【図面の簡単な説明】
【００４９】
【図１】この発明の実施の形態を示すもので、信号送信装置の概略を説明する図。
【図２】この発明の実施の形態を示すもので、主として信号送信装置の動作を説明するフローチャート。
【図３】この発明の、他の実施の形態を示すもので、信号送信装置の概略を説明する図。
【図４】この発明の、他の実施の形態を示すもので、主として信号送信装置の動作を説明するフローチャート。
【図５】この発明の実施の形態を示すもので、例えば操作ガイドを表示する例を説明する図。
【符号の説明】
【００５０】
１０１…記録再生装置（第１の装置）、１０２…信号送信装置、１０３…映像表示装置、１０４…記録再生装置（第２の装置）、１０５…リモコン、１０５ａ…リモコンの表示部、２０５…映像表示装置、２０５ａ…映像表示装置の表示部。
【図１】
2005322989.tif 000003
【図２】
2005322989.tif 000004
【図３】
2005322989.tif 000005
【図４】
2005322989.tif 000006
【図５】
2005322989.tif 000007